(57)【要約】【課題】セキュリティ性を向上できるヘッドセット装置を提供する。【解決手段】耳孔に挿入するイヤーパッド部３と、イヤーパッド部３に対して回動して所望の回動位置を保持可能に設けられるとともに所定の使用位置で耳に掛けられるイヤーフック部４とを備え、携帯電話機１０（情報端末）との通信が可能なヘッドセット装置１において、携帯電話機１０との接続を許可するイヤーフック部４の回動位置を予め登録して記憶する記憶部１３と、イヤーフック部４の回動位置を検出する回動位置検出部１５と、を備え、電源投入時に、回動位置検出部１５により検出されたイヤーフック部４の回動位置と記憶部１３に記憶したイヤーフック部４の回動位置とが一致した場合に携帯電話機１０との接続を許可する。【選択図】図８
2014216845.tif 000002
【特許請求の範囲】
【請求項１】
耳孔に挿入するイヤーパッド部と、前記イヤーパッド部に対して回動して所望の回動位置を保持可能に設けられるとともに所定の使用位置で耳に掛けられるイヤーフック部とを備え、情報端末との通信が可能なヘッドセット装置において、
前記情報端末との接続を許可する前記回動位置を予め登録して記憶する記憶部と、
前記回動位置を検出する回動位置検出部と、
を備え、電源投入時に、前記回動位置検出部により検出された前記回動位置と前記記憶部に記憶した前記回動位置とが一致した場合に前記情報端末との接続を許可することを特徴とするヘッドセット装置。
【請求項２】
前記記憶部は予め登録される接続可能な前記情報端末の識別情報を記憶し、
電源投入時に、前記回動位置検出部により検出された前記回動位置と前記記憶部に記憶した前記回動位置とが一致しない場合に前記識別情報を消去することを特徴とする請求項１に記載のヘッドセット装置。
【請求項３】
前記識別情報を消去する前に警告の報知を行い、前記回動位置検出部により検出された前記回動位置と前記記憶部に記憶した前記回動位置とが再度一致しないときに前記識別情報を消去することを特徴とする請求項２に記載のヘッドセット装置。
【請求項４】
前記記憶部に登録可能な前記回動位置を前記使用位置と異なる回動範囲にしたことを特徴とする請求項１〜請求項３のいずれか１項に記載のヘッドセット装置。
【発明の詳細な説明】
【技術分野】
【０００１】
本発明は、情報端末と通信を行うヘッドセット装置に関する。
【背景技術】
【０００２】
特許文献１には、携帯電話機（情報端末）と通信を行うヘッドセット装置が開示されている。このヘッドセット装置は通信部及びセキュリティ機能部を有する。通信部はＢｌｕｅｔооｔｈ（登録商標）規格に従って携帯電話機から受信した問合せ信号に対する応答信号を送信する。その後、通信部が携帯電話機から通信確立要求信号を受信することによりヘッドセット装置と携帯電話機との通信が確立される。この時、ヘッドセット装置に携帯電話機の識別情報が登録される。これにより、使用者はヘッドセット装置を介して携帯電話機を操作してハンズフリーで通話を行うことができる。
【０００３】
セキュリティ機能部は定期的に認証要求を携帯電話機へ送信する。携帯電話機とヘッドセット装置との間の距離が所定距離よりも長くなって認証要求に対する照合がとれなくなると、携帯電話機の機能が制限される。
【先行技術文献】
【特許文献】
【０００４】
【特許文献１】特許第４２７５０２７号公報（第１４頁、第１５頁、第２０図、第２１図）
【発明の概要】
【発明が解決しようとする課題】
【０００５】
しかしながら、上記特許文献１に開示されたヘッドセット装置では、ヘッドセット装置と携帯電話機との間の距離が所定距離よりも短い場合には、認証要求に対する照合がとれるため、携帯電話機の機能は制限されない。このため、使用者の許可なく他人がヘッドセット装置を介して携帯電話機を操作するおそれがある。したがって、ヘッドセット装置のセキュリティ性が低下する問題があった。
【０００６】
本発明は、セキュリティ性を向上できるヘッドセット装置を提供することを目的とする。
【課題を解決するための手段】
【０００７】
本発明は、耳孔に挿入するイヤーパッド部と、前記イヤーパッド部に対して回動して所望の回動位置を保持可能に設けられるとともに所定の使用位置で耳に掛けられるイヤーフック部とを備え、情報端末との通信が可能なヘッドセット装置において、前記情報端末との接続を許可する前記回動位置を予め登録して記憶する記憶部と、前記回動位置を検出する回動位置検出部と、を備え、電源投入時に、前記回動位置検出部により検出された前記回動位置と前記記憶部に記憶した前記回動位置とが一致した場合に前記情報端末との接続を許可することを特徴としている。
【０００８】
この構成によると、イヤーフック部はイヤーパッド部に対して回動して所定の使用位置で使用者の耳に掛けられる。また、情報端末との接続を許可するイヤーフック部の回動位置は予め記憶部に登録されて記憶される。電源投入時に、記憶部に記憶した回動位置にイヤーフック部を回動して配置すると、情報端末との接続が許可される。これにより、使用者の許可なく他人がヘッドセット装置を介して情報端末を操作することを防止することができる。すなわち、ヘッドセット装置にセキュリティロックをかけることができる。したがって、ヘッドセット装置のセキュリティ性を向上させることができる。
【０００９】
また、使用者の耳介の形状に対応するために回動可能に設けられるイヤーフック部の回動位置によってヘッドセット装置と情報端末との接続の許否が判断される。このため、部品点数の増加を抑制してヘッドセット装置のセキュリティ性を向上することができる。
【００１０】
また本発明は上記構成のヘッドセット装置において、前記記憶部は予め登録される接続可能な前記情報端末の識別情報を記憶し、電源投入時に、前記回動位置検出部により検出された前記回動位置と前記記憶部に記憶した前記回動位置とが一致しない場合に前記識別情報を消去するとより好ましい。
【００１１】
この構成によると、電源投入時に、記憶部に記憶した回動位置以外の回動位置にイヤーフック部を回動して配置すると、予め記憶部に登録される接続可能な情報端末の識別情報が消去される。これにより、イヤーフック部の回動位置を何度も変更することによるセキュリティロックの解除を防止することができる。したがって、使用者の許可なく他人がヘッドセット装置を介して情報端末を操作することをより確実に防止することができる。その結果、ヘッドセット装置のセキュリティ性を一層向上させることができる。
【００１２】
また本発明は上記構成のヘッドセット装置において、前記識別情報を消去する前に警告の報知を行い、前記回動位置検出部により検出された前記回動位置と前記記憶部に記憶した前記回動位置とが再度一致しないときに前記識別情報を消去すると好ましい。
【００１３】
この構成によると、電源投入時に、記憶部に記憶した回動位置以外の回動位置にイヤーフック部を回動して配置すると、予め記憶部に登録される接続可能な情報端末の識別情報を消去する前に警告が報知される。その後、記憶部に記憶した回動位置にイヤーフック部を回動して配置すると、識別情報は消去されずヘッドセット装置は情報端末と接続することができる。これにより、例えば電源投入時に使用者が記憶部に記憶した回動位置にイヤーフック部を配置することを忘れて、記憶部に記憶した回動位置以外の回動位置にイヤーフック部を回動して配置しても記憶部に記憶された情報端末の識別情報は直ちには消去されない。したがって、ヘッドセット装置の使用性を向上させることができる。
【００１４】
また本発明は上記構成のヘッドセット装置において、前記記憶部に登録可能な前記回動位置を前記使用位置と異なる回動範囲にするとより好ましい。この構成によると、電源投入時に、イヤーフック部が使用者の耳に掛けられる使用位置に配置されていても、情報端末との接続は許可されない。これにより、ヘッドセット装置のセキュリティロックのかけ忘れを防止することができる。したがって、ヘッドセット装置のセキュリティ性を一層向上させることができる。
【発明の効果】
【００１５】
本発明によると、電源投入時に、回動位置検出部により検出されたイヤーフック部の回動位置と記憶部に記憶したイヤーフック部の回動位置とが一致した場合に情報端末との接続を許可する。これにより、使用者の許可なく他人がヘッドセット装置を介して情報端末を操作することを防止することができる。したがって、ヘッドセット装置のセキュリティ性を向上させることができる。
【図面の簡単な説明】
【００１６】
【図１】本発明の第１実施形態のヘッドセット装置を示す斜視図である。
【図２】本発明の第１実施形態のヘッドセット装置を示す平面図である。
【図３】本発明の第１実施形態のヘッドセット装置の使用例を示した概略図である。
【図４】本発明の第１実施形態のヘッドセット装置の構成を示すブロック図である。
【図５】本発明の第１実施形態のヘッドセット装置の携帯電話機とのペアリングの動作を示すフローチャートである。
【図６】本発明の第１実施形態のヘッドセット装置と通信を行う携帯電話機のペアリングの動作を示すフローチャートである。
【図７】本発明の第１実施形態のヘッドセット装置のイヤーフック部を携帯電話機との接続を許可する回動位置に配置したときの平面図である。
【図８】本発明の第１実施形態のヘッドセット装置の携帯電話機との接続の動作を示すフローチャートである。
【図９】本発明の第２実施形態のヘッドセット装置の平面図である。
【図１０】本発明の第３実施形態のヘッドセット装置の携帯電話機との接続の動作を示すフローチャートである。
【発明を実施するための形態】
【００１７】
＜第１実施形態＞
以下に図面を参照して本発明の実施形態を説明する。図１は第１実施形態のヘッドセット装置を示す斜視図である。図２はヘッドセット装置１を示す平面図である。なお、図２において、開口部３ａ及びマイク１８の図示を省略している。ヘッドセット装置１は、本体部２、イヤーパッド部３、イヤーフック部４、ダイヤル表示板５、操作ボタン６、スピーカ１７及びマイク１８を備える。ヘッドセット装置１は、Ｂｌｕｅｔооｔｈ（登録商標）規格に従った無線通信機能を備えている。ヘッドセット装置１からの電波が到達する範囲は、ヘッドセット装置１を中心とした半径約１０ｍの範囲となる。すなわち、本実施形態ではＢｌｕｅｔｏｏｔｈ（登録商標）規格の電波強度として、クラス２が適用されている。
【００１８】
イヤーパッド部３は本体部２から突出して設けられ、使用者の耳孔に挿入される。イヤーパッド部３には開口部３ａが設けられている。スピーカ１７はイヤーパッド部３の内部に配される。スピーカ１７から出力された音声は開口部３ａ及び耳孔を介して鼓膜に伝達される。
【００１９】
ダイヤル表示板５は樹脂により環状に形成され、イヤーパッド部３の周囲に装着される。ダイヤル表示板５には０〜９の番号が反時計回りに順に刻印されている。これにより、使用者は後述のイヤーフック部４の回動位置を番号と対応させて認識することができる。
【００２０】
なお、ダイヤル表示板５に刻印される文字は０〜９の数字に限定されず、例えばアルファベットやひらがな等の文字、丸や三角形等の図形記号であってもよい。また、ダイヤル表示板５の材質に特に限定はなく、例えば金属により形成してもよい。また、ダイヤル表示板５を省き、ヘッドセット装置１の本体部２に文字を直接刻印してもよい。
【００２１】
イヤーフック部４は湾曲した棒状部材により形成され、例えば樹脂により形成される。
イヤーフック部４はイヤーパッド部３に対して矢印Ｒで示す方向に回動して所望の回動位置を保持可能に設けられる。これにより、使用者はイヤーフック部４を回動させて所定の使用位置で耳介に掛けることができる。本実施形態では、番号「０」、「９」、「８」のいずれかが使用位置になるが、図２では、番号「９」に対応する回動位置にイヤーフック部４を配置している。
【００２２】
イヤーフック部４の回動軸（不図示）には１つの可動接片（不図示）が設けられる。また、イヤーパッド部３の内部には固定接片（不図示）がダイヤル表示板５に刻印された０〜９の番号に対応して１０個設けられる。イヤーフック部４の回動に伴って可動接片は各固定接片と接離できるように構成されている。すなわち、イヤーパッド部３及びイヤーフック部４には可動接片及び固定接片を有するロータリースイッチが構成されている。
【００２３】
なお、格子円盤と光電素子とから成るロータリーエンコーダによりイヤーフック部４の回動位置を検知してもよい。
【００２４】
イヤーフック部４のイヤーパッド３側の端部には番号指示部４ａが設けられる。イヤーフック部４を矢印Ｒの方向に回動させると、番号指示部４ａはダイヤル表示板５上で異なる数字を指示する。
【００２５】
操作ボタン６は本体部２の一端部に設けられている。操作ボタン６の押し下げによりヘッドセット装置１に電源が投入される。また、操作ボタン６の押し方（例えば、長押しや連続複数回押しなど）を変えることにより、スピーカ１７から出力される音声の音量調節や携帯電話１０（図３参照）の操作等を行うことができる。
【００２６】
図３はヘッドセット装置１の使用例を示した概略図である。図３において、破線矢印Ｐは電波の送受信を示している。後述のようにヘッドセット装置１は使用開始時に携帯電話機１０との通信を確立する。使用者はイヤーフック部４を使用位置（図２参照）に配置して、片方の耳介に掛ける。そして、ヘッドセット装置１を介して携帯電話機１０を操作してハンズフリーで通話をすることができる。
【００２７】
図４はヘッドセット装置１の構成を示すブロック図である。ヘッドセット装置１はＣＰＵから成る制御部１１を備え、制御部１１によってヘッドセット装置１の各部を制御する。制御部１１には操作部１２、記憶部１３、通信部１４、回動位置検出部１５、スピーカ１７及びマイク１８がそれぞれ接続されている。
【００２８】
操作部１２は操作ボタン６から成る。記憶部１３はＥＥＰＲＯＭ等から成り、各種のワークデータや管理データを格納する。また、詳細を後述するように、記憶部１３には接続可能な携帯電話機１０の識別情報や、携帯電話機１０との接続を許可するイヤーフック部４の回動位置が予め登録して記憶される。
【００２９】
通信部１４はアンテナ１６を介して携帯電話機１０との間でデータを送受信する。また、通信部１４は後述のペアリング時に、携帯電話機１０から送信された問合せ信号を受信し、問合せ信号に対する応答信号を携帯電話機１０へ送信する。応答信号としては例えばＦＨＳ（Frequency Hop Synchronization）パケットを用いることができる。また、通信部１４は携帯電話機１０から送信された通信確立要求信号を受信する。
【００３０】
回動位置検出部１５はアナログ‐デジタル変換回路から成り、イヤーパッド部３の固定接片から送信されたアナログ信号をデジタル信号に変換してイヤーフック部４の回動位置を検出する。
【００３１】
図５は、ヘッドセット装置１の携帯電話機１０とのペアリングの動作を示すフローチャートである。ヘッドセット装置１の操作ボタン６を押し下げてヘッドセット装置１に電源を投入すると、ステップ＃１では携帯電話機１０から問合せ信号を受信するまで待機する。問合せ信号を受信すると、ステップ＃２に移行する。
【００３２】
ステップ＃２では、ヘッドセット装置１の通信部１４は携帯電話機１０へ応答信号を送信する。この時、携帯電話機１０の表示部１０１（図３参照）にはヘッドセット装置１の例えばアイコン等の端末情報が表示される。ステップ＃３では、通信確立要求信号を携帯電話機１０から受信するまで待機する。
【００３３】
ステップ＃３において、使用者が携帯電話機１０の表示部１０１でヘッドセット装置１のアイコンを選択すると、携帯電話機１０からヘッドセット装置１へ通信確立要求信号が送信される。この通信確立要求信号をヘッドセット装置１の通信部１４が受信すると、ステップ＃４に移行する。
【００３４】
ステップ＃４では、ヘッドセット装置１と携帯電話機１０とがペアリングされる。ここで、ペアリングとはヘッドセット装置１及び携帯電話機１０の一方の識別情報が他方に登録して記憶されることをいう。そして、ペアリングの完了後にヘッドセット装置１と携帯電話機１０とが接続されると、データの送受信を行うことができる。
【００３５】
図６は、携帯電話機１０のヘッドセット装置１とのペアリングの動作を示すフローチャートである。携帯電話機１０の電源を投入してＢｌｕｅｔооｔｈ機能のボタン（不図示）を押すと、ステップ＃１１では携帯電話機１０の通信部（不図示）が問合せ信号を送信する。ステップ＃１２では、ヘッドセット装置１の応答信号を受信するまで待機する。
【００３６】
ヘッドセット装置１から応答信号を受信した場合には、ステップ＃１３に移行する。ステップ＃１３では、通信確立要求信号をヘッドセット装置１へ送信したか否かが判断される。通信確立要求信号を送信した場合には、ステップ＃１４に移行する。ステップ＃１４では、携帯電話機１０とヘッドセット装置１とのペアリングが完了する。なお、この時、携帯電話機１０とヘッドセット装置１との間では例えば４桁のパスキーの交換が行われる。
【００３７】
ヘッドセット装置１と携帯電話機１０とがペアリングされると、携帯電話機１０の例えばＭＡＣアドレス（識別情報）がヘッドセット装置１の記憶部１３に登録される。これにより、ヘッドセット装置１の操作ボタン６を押し下げて電源を投入すれば、ヘッドセット装置１はＭＡＣアドレスに基づき、ペアリングされている携帯電話機１０に接続される。このため、前述のペアリング動作を再度行う必要がないので、ヘッドセット装置１の使用性を向上させることができる。なお、識別情報はＭＡＣアドレスに限定されず、携帯電話機１０であることが識別できる情報であればよい。
【００３８】
図７は、ヘッドセット装置１の携帯電話機１０との接続を許可するイヤーフック部４の回動位置を予め記憶部１３に登録する際のヘッドセット装置１の平面図を示している。ヘッドセット装置１の携帯電話機１０とのペアリングの動作（図５参照）の前に、イヤーフック部４を番号「５」が示す回動位置に配置する。この状態でヘッドセット装置１の操作ボタン６を押し下げて電源を投入する。そして、ヘッドセット装置１の携帯電話機１０とのペアリングの動作が開始されて携帯電話機１０から例えば通信確立要求信号を受信した時に、ヘッドセット装置１と携帯電話機１０との接続を許可するイヤーフック部４の回動位置として番号「５」に対応する回動位置が記憶部１３に登録して記憶される。
【００３９】
なお、ヘッドセット装置１と携帯電話機１０との接続を許可するイヤーフック部４の回動位置を記憶部１３に記憶した後に消去できるようにしてもよい。例えば、ヘッドセット装置１と携帯電話機１０とが接続された状態において、記憶部１３に記憶された携帯電話機１０のＭＡＣアドレスを消去する。すなわち、ヘッドセット装置１と携帯電話機１０とのペアリングを一旦解除する。その後、ヘッドセット装置１と携帯電話機１０とのペアリングを再度行う際に、操作ボタン６を例えば２回連続して押し下げることにより、一度登録されたイヤーフック部４の回動位置を記憶部１３から消去できるようにしてもよい。
【００４０】
また、ヘッドセット装置１と携帯電話機１０とのペアリング時に、例えば操作ボタン６を長押しすることにより、イヤーフック部４をいずれの回動位置に配置してもヘッドセット装置１と携帯電話機１０との接続が許可されるようにしてもよい。すなわち、ヘッドセット装置１にセキュリティロックをかけないようにしてもよい。
【００４１】
図８は、ヘッドセット装置１と携帯電話機１０とのペアリングの完了後にヘッドセット装置１と携帯電話機１０とを接続する場合の、ヘッドセット装置１の携帯電話機１０との接続の動作を示すフローチャートである。ヘッドセット装置１の操作ボタン６を押し下げて電源を投入すると、ステップ＃２１では、ヘッドセット装置１の回動位置検出部１５がイヤーフック部４の回動位置を検出する。
【００４２】
ステップ＃２２では、回動位置検出部１５により検出されたイヤーフック部４の回動位置と記憶部１３に記憶されている番号「５」に対応する回動位置とが一致するか否かが判断される。回動位置検出部１５により検出されたイヤーフック部４の回動位置が番号「５」に対応する回動位置である場合には、ステップ＃２８に移行してペアリング済の携帯電話機１０との接続がＭＡＣアドレスの送信によって許可される。これにより、使用者の許可なく他人がヘッドセット装置１を介して携帯電話機１０を操作することを防止することができる。したがって、ヘッドセット装置１のセキュリティ性を向上させることができる。なお、ペアリング済の携帯電話機１０との接続が許可された後にイヤーフック部４を回動させて使用位置（図２参照）に配置してもヘッドセット装置１と携帯電話機１０との接続は維持される。
【００４３】
回動位置検出部１５により検出されたイヤーフック部４の回動位置が番号「５」に対応する回動位置ではない場合（例えば図２参照）には、ステップ＃２３に移行する。ステップ＃２３では警告が報知される。警告の報知はスピーカ１７から出力される音声等により行われる。この時、例えば「番号が違います。」等の音声メッセージを報知してもよく、ブザー音等により報知してもよい。
【００４４】
ステップ＃２４では所定時間が経過するまで待機する。ステップ＃２５では、回動位置検出部１５によりイヤーフック部４の回動位置が再度検出される。その後、ステップ＃２６では、回動位置検出部１５により再度検出されたイヤーフック部４の回動位置と記憶部１３に記憶されている番号「５」に対応する回動位置とが一致するか否かが再度判断される。回動位置検出部１５により検出されたイヤーフック部４の回動位置が番号「５」に対応する回動位置である場合には、ステップ＃２８に移行する。ステップ＃２８ではペアリング済の携帯電話機１０との接続がＭＡＣアドレスの送信によって許可される。
【００４５】
ステップ＃２６において、回動位置検出部１５により検出されたイヤーフック部４の回動位置が番号「５」に対応する回動位置ではない場合（例えば図２参照）には、ステップ＃２７に移行する。ステップ＃２７では、ペアリング済の携帯電話機１０のＭＡＣアドレス（識別情報）が記憶部１３から消去される。これにより、使用者の許可なく他人がヘッドセット装置１を介して携帯電話機１０を操作することをより確実に防止することができる。したがって、ヘッドセット装置１のセキュリティ性を一層向上させることができる。
【００４６】
また、使用者の耳介の形状に対応するために回動可能に設けられるイヤーフック部４の回動位置によってヘッドセット装置１と携帯電話機１０との接続の許否が判断される。このため、部品点数の増加を抑制してヘッドセット装置１のセキュリティ性を向上させることができる。
【００４７】
なお、使用者は携帯電話機１０とヘッドセット装置１の両方を用いて再度ペアリングの動作を行うことにより、ヘッドセット装置１の記憶部１３に携帯電話機１０の識別情報を再度容易に記憶させることができる。このため、記憶部１３から携帯電話機１０の識別情報が消去されても大きな支障はない。
【００４８】
本実施形態によると、耳孔に挿入するイヤーパッド部３と、イヤーパッド部３に対して回動して所望の回動位置を保持可能に設けられるとともに所定の使用位置で耳に掛けられるイヤーフック部４とを備え、携帯電話機１０（情報端末）との通信が可能なヘッドセット装置１において、携帯電話機１０との接続を許可するイヤーフック部４の回動位置を予め登録して記憶する記憶部１３と、イヤーフック部４の回動位置を検出する回動位置検出部１５と、を備え、電源投入時に、回動位置検出部１５により検出されたイヤーフック部４の回動位置と記憶部１３に記憶したイヤーフック部４の回動位置とが一致した場合に携帯電話機１０との接続を許可する。
【００４９】
これにより、使用者の許可なく他人がヘッドセット装置１を介して携帯電話機１０を操作することを防止することができる。したがって、ヘッドセット装置１のセキュリティ性を向上させることができる。
【００５０】
また、使用者の耳介の形状に対応するために回動可能に設けられるイヤーフック部４の回動位置によってヘッドセット装置１と携帯電話機１０との接続の許否が判断される。このため、部品点数の増加を抑制してヘッドセット装置１のセキュリティ性を向上させることができる。
【００５１】
また、記憶部１３は予め登録される接続可能な携帯電話機１０のＭＡＣアドレス（識別情報）を記憶し、回動位置検出部１５により検出されたイヤーフック部４の回動位置と記憶部１３に記憶したイヤーフック部４の回動位置とが一致しない場合に記憶部１３に記憶された携帯電話機１０のＭＡＣアドレスを消去する。これにより、イヤーフック部４の回動位置を何度も変更することによるセキュリティロックの解除を防止することができる。したがって、使用者の許可なく他人がヘッドセット装置１を介して携帯電話機１０を操作することをより確実に防止することができる。その結果、ヘッドセット装置１のセキュリティ性を一層向上させることができる。
【００５２】
また、携帯電話機１０のＭＡＣアドレスを記憶部１３から消去する前に警告の報知を行い、回動位置検出部１５により検出されたイヤーフック部４の回動位置と記憶部１３に記憶したイヤーフック部４の回動位置とが再度一致しないときに携帯電話機１０のＭＡＣアドレスを記憶部１３から消去する。これにより、例えば電源投入時に使用者が記憶部１３に記憶した回動位置にイヤーフック部４を配置することを忘れて、記憶部１３に記憶した回動位置以外の回動位置にイヤーフック部４を回動して配置しても記憶部１３に記憶された携帯電話機１０のＭＡＣアドレスは直ちには消去されない。したがって、ヘッドセット装置１の使用性を向上させることができる。
【００５３】
＜第２実施形態＞
次に、本発明の第２実施形態について説明する。図９は本実施形態のヘッドセット装置１の平面図を示している。説明の便宜上、第１実施形態と同様な部分には同一の符合を付している。本実施形態は前述の図１〜図８に示す第１実施形態とは、記憶部１３に登録可能なイヤーフック部４の回動位置が異なっている。その他の部分は第１実施形態と同様である。
【００５４】
ダイヤル表示板５は番号が割り当てられていない空白部５ａを有する。空白部５ａはイヤーフック部４の使用位置に対応する範囲に形成されている。そして、空白部５ａに対応するイヤーフック部４の回動位置には、固定接片が設けられていない。このため、記憶部１３はイヤーフック部４の使用位置に対応する回動位置を登録して記憶することができない。すなわち、本実施形態では記憶部１３に登録可能なイヤーフック部４の回動位置を使用位置と異なる回動範囲にしている。
【００５５】
本実施形態によると、第１実施形態と同様な効果を得ることができる。また、記憶部１３に登録可能なイヤーフック部４の回動位置を使用位置と異なる回動範囲にしている。これにより、イヤーフック部４を使用者の耳に掛けられる使用位置に配置しても、ヘッドセット装置１と携帯電話機１０との接続は許可されない。したがって、セキュリティロックのかけ忘れを防止することができる。その結果、ヘッドセット装置１のセキュリティ性を一層向上させることができる。
【００５６】
＜第３実施形態＞
次に、本発明の第３実施形態について説明する。本実施形態は携帯電話機１０との接続を許可するイヤーフック部４の回動位置を複数にしている点で前述の図１〜図８に示す第１実施形態とは異なっている。なお、警告報知の動作及び警告報知後のイヤーフック部４の回動位置が記憶部１３に記憶された回動位置と一致するか否かの判断の動作（図８のステップ＃２３〜＃２６参照）を省いているが、これらの動作を設けてもよい。その他の部分は第１実施形態と同様である。
【００５７】
ヘッドセット装置１の携帯電話機１０とのペアリングの動作（図５参照）の前に、イヤーフック部４を例えば番号「８」が示す回動位置に配置する。この状態でヘッドセット装置１の操作ボタン６を押し下げて電源を投入する。そして、ヘッドセット装置１の携帯電話機１０とのペアリングの動作が開始されて所定時間が経過すると、ヘッドセット装置１と携帯電話機１０との接続を許可するイヤーフック部４の第１の回動位置として番号「８」に対応する回動位置が記憶部１３に登録されて記憶される。
【００５８】
引き続き、イヤーフック部４を例えば番号「５」が示す回動位置に配置する。この状態で所定時間が経過すると、ヘッドセット装置１と携帯電話機１０との接続を許可するイヤーフック部４の第２の回動位置として番号「５」に対応する回動位置が記憶部１３に登録されて記憶される。これにより、ヘッドセット装置１と携帯電話機１０との接続を許可するイヤーフック部４の回動位置として２桁の番号「８５」が記憶部１３に登録されて記憶される。
【００５９】
図１０は本実施形態のヘッドセット装置１の携帯電話機１０との接続の動作を示すフローチャートである。ヘッドセット装置１の操作ボタン６を押し下げて電源を投入すると、ステップ＃３１では、ヘッドセット装置１の回動位置検出部１５がイヤーフック部４の回動位置（第１の回動位置）を検出する。ステップ＃３２では、回動位置検出部１５により検出された第１の回動位置が記憶部１３に記憶される。
【００６０】
ステップ＃３３では、所定時間が経過するまで待機する。ステップ＃３４では、回動位置検出部１５がイヤーフック部４の回動位置（第２の回動位置）を検出する。ステップ＃３５では、記憶部１３に記憶されたイヤーフック部４の第１の回動位置が呼び出される。
【００６１】
ステップ＃３６では、回動位置検出部１５により検出されたイヤーフック部４の回動位置と記憶部１３に記憶されている２桁の番号「８５」に対応する回動位置とが一致するか否かが判断される。回動位置検出部１５により検出されたイヤーフック部４の回動位置が番号「８５」に対応する回動位置である場合にはステップ＃３８に移行する。ステップ＃３８では、ヘッドセット装置１とペアリング済の携帯電話機１０との接続が許可される。
【００６２】
ステップ＃３６において、回動位置検出部１５により検出されたイヤーフック部４の回動位置が番号「８５」に対応する回動位置ではない場合には、ステップ＃３７に移行する。ステップ＃３７では、ペアリング済の携帯電話機１０のＭＡＣアドレスがヘッドセット装置１の記憶部１３から消去される。
【００６３】
第３実施形態によると、第１実施形態と同様な効果を得ることができる。また、記憶部１３に記憶したイヤーフック部４の回動位置が２つになっている。すなわち、第１実施形態では１桁の番号に対応するイヤーフック部４の回動位置が記憶部１３に登録されているのに対し、本実施形態では２桁の番号に対応するイヤーフック部４の回動位置が記憶部１３に登録される。これにより、ヘッドセット装置１のセキュリティ性を一層向上させることができる。
【００６４】
なお、第２実施形態のヘッドセット装置１に対して本実施形態と同様に、携帯電話機１０との接続を許可するイヤーフック部４の回動位置を複数にしてもよい。
【００６５】
第１〜第３実施形態において、ヘッドセット装置１と接続される情報端末として携帯電話機１０を例として説明したが、これに限定されない。すなわち、ヘッドセット装置１を介して操作される情報端末であればよく、例えばスマートフォン、携帯音楽プレイヤー等であってもよい。
【産業上の利用可能性】
【００６６】
本発明は、情報端末と通信を行うヘッドセット装置に利用することができる。
【符号の説明】
【００６７】
１      ヘッドセット装置
２      本体部
３      イヤーパッド部
４      イヤーフック部
５      ダイヤル表示板
６      操作ボタン
１０    携帯電話機
１１    制御部
１２    操作部
１３    記憶部
１４    通信部
１５    回動位置検出部
１６    アンテナ
１７    スピーカ
１８    マイク
【図１】
2014216845.tif 000003
【図２】
2014216845.tif 000004
【図３】
2014216845.tif 000005
【図４】
2014216845.tif 000006
【図５】
2014216845.tif 000007
【図６】
2014216845.tif 000008
【図７】
2014216845.tif 000009
【図８】
2014216845.tif 000010
【図９】
2014216845.tif 000011
【図１０】
2014216845.tif 000012